(57)【特許請求の範囲】
【請求項１】
上方に回動可能に設けられ前後方向に伸びた紙切刃押え（６）と、ロール紙（８）のロール紙芯棒（９）に差し込むことによりロール紙（８）を回転可能に保持するロール紙受部材（７）とを備え、ロール紙（８）からその先端を引き出して紙切刃押え（６）によって必要な長さに切り取って使用する紙巻器（５）に着脱可能に取り付けて使用するロール紙引出装置であって、
前後方向の断面が略円弧状で上方に湾曲した天板（１）と、天板（１）の左右両端部に一体に設けられた両側板（２，４）を備え、両側板（２，４）にはロール紙受部材（７）を挿入して固定するための、下方に開口し開口端が外側に向けて広がった差込ガイド穴（３）が設けられており、ロール紙（８）を紙切刃押え（６）と天板（１）との間を通して引き出して使用するロール紙引出装置。
【請求項２】
両側板（２）が、天板（１）の断面の円弧と略同寸で１２ｃｍ〜１３ｃｍの直径を有する円盤形状で、両側板（２）の間隔が１２ｃｍ〜１３ｃｍであり、ロール紙受部材（７）を差込ガイド穴（３）の最奥部に挿入した際に天板（１）の断面の円弧の中心とロール紙（８）の中心が略同位置になるように差込ガイド穴（３）が設けられている請求項１に記載のロール紙引出装置。
【請求項３】
両側板（４）が差込ガイド穴（３）より前方部は天板（１）の断面の円弧と略同寸で１２ｃｍ〜１３ｃｍの直径を有する半円盤形状で、差込ガイド穴（３）より後方部は上下方向の寸法が天板（１）の断面の円弧の直径と略同じであり、前後方向の寸法が６ｃｍ〜９ｃｍの四角形状であり、ロール紙受部材（７）を差込ガイド穴（３）の最奥部に挿入した際に天板（１）の断面の円弧の中心とロール紙（８）の中心が略同位置になるように差込ガイド穴（３）が設けられている請求項１に記載のロール紙引出装置。
【発明の詳細な説明】
【技術分野】
【０００１】  本発明は、紙巻器に取り付けて使用し、安定的にロール紙を引き出すことのできるロール紙引出装置に関する。
【背景技術】
【０００２】  従来の紙巻器からのロール紙引出しは、ほとんどが手によりコントロールされ使用されている。
【発明の概要】
【発明が解決しようとする課題】
【０００３】  従来の紙巻器によるロール紙引出方法では、ほとんど手によりコントロールしなければいけないので、使用ロール紙の残量が少なくなるにつれて、ロール紙の引き出し口を見つけ出すのに手間がかかり、ロール紙が破れたり、動いたりして手に触れる頻度が高くなり、清潔さも損なわれる。
【課題を解決するための手段】
【０００４】  本発明のロール紙引出装置は、上方に回動可能に設けられ前後方向に伸びた紙切刃押えと、ロール紙のロール紙芯棒に差し込むことによりロール紙を回転可能に保持するロール紙受部材とを備え、ロール紙からその先端を引き出して紙切刃押えによって必要な長さに切り取って使用する紙巻器に着脱可能に取り付けて使用するロール紙引出装置であって、前後方向の断面が略円弧状で上方に湾曲した天板と、天板の両端部に一体に設けられた両側板を備え、両側板にはロール紙受部材に挿入して固定するための下方に開口し開口端が外側に向けて広がった差込ガイド穴が設けられており、ロール紙を紙切刃押えと天板との間を通して引き出して使用する。
【発明の効果】
【０００５】  ロール紙引出装置を使用すると、ロール紙引出装置が固定されているためにロール紙をワンタッチで引き出せ、最初から最終まで引き出せる。また、使用中のロール紙に手が触れるのはワンタッチする部分だけであるので衛生面も改善される。ロール紙の紙質、シングルロール紙やダブルロール紙などにも使用できる。デザインがシンプルで、取り扱いが簡単で優れた特異性がある。使用用途が異なるロール紙の幅の大小、ロール紙の巻径の大小にも対応できるロール紙引出装置の製作も可能である。
【図面の簡単な説明】
【０００６】
【図１】ロール紙引出装置を紙巻器に取り付けた状態を示す斜視図
【図２】ロール紙引出装置を紙巻器に取り付けた状態を示す正面図
【図３】ロール紙引出装置を紙巻器に取り付けた状態を示す側面図
【図４】ロール紙引出装置の斜視図
【図５】ロール紙引出装置の他の実施例の斜視図
【図６】ロール紙引出装置の他の実施例の側面図
【発明を実施するための形態】
【０００８】  以下、図１〜図４を用いて本発明の実施の形態を説明する。紙巻器５は、ロール紙８を保持する左右両側ブラケット１１とロール紙８の上方に回動可能に設けられ前後方向に伸びた紙切刃押え６を備え、両側ブラケット１１の内側に設けられたロール紙受部材７を中空のロール紙芯棒９に差し込むことによりロール紙８を回転可能に保持している。ロール紙８の使用者は、紙巻器５にセットされたロール紙８の先端を引き出し、紙切刃押え６によって必要な長さに切り取って使用する。ロール紙引出装置１０は、紙巻器５に着脱可能に取り付けて使用する。ロール紙引出装置１０は、前後方向の断面がロール紙８に合わせた略円弧状で上方に湾曲した天板１と、天板１の左右の両端部に一体に設けられ、天板１の断面の円弧と略同寸の直径を有する円盤形状の両側板２とから構成されている。両側板２には紙巻器５のロール紙受部材７を挿入して固定するための、下方に開口し開口端が外側方向に広がった差込ガイド穴（３）が設けられている。ロール紙８の使用者は、ロール紙８を紙巻器５の紙切刃押え６とロール紙引出装置１０の天板１との間を通して引き出して使用する。
【０００９】  略円盤形状の両側板２の直径Ｌ１は、ロール紙８がトイレットペーパーの場合にはその最大の巻取り径よりわずかに大きい１２ｃｍ〜１３ｃｍが好ましい。また、両側板２の間隔Ｌ２はトイレットペーパーの紙幅よりわずかに大きい１２ｃｍ〜１３ｃｍが好ましい。両側板２の差込ガイド穴３は、差込ガイド穴３の最奥部と天板１との距離Ｌ３が４ｃｍ〜６ｃｍ、その幅Ｌ４はロール紙受部材７の幅Ｌ５とほぼ同寸法であることが好ましい。このように差込ガイド穴３を構成すると、ロール紙受部材７を差込ガイド穴３の最奥部に差込み固定した際に、天板１の断面の円弧の中心とロール紙８の中心が略同位置となる。
【００１０】  このようにすれば、ロール紙引出装置１０の紙巻器５からの着脱が容易になるとともに、ロール紙８をしっかり固定することが可能になる。また、ロール紙引出装置１０の天板１が上方に円弧状に湾曲しているためにロール紙８を紙巻器５からスムーズに取り出すことができる。また、引き出されたロール紙８はロール紙引出装置１０の天板１の上を通っているために、次に使用する際に、その先端が残りのロール紙８の表面に張り付くことがなく容易に、その先端を掴んで引き出して使用することが可能となる。
【００１１】  図５、図６はロール紙引出装置１０の他の実施例を示す図である。前述の実施例とこの実施例が異なる点は両側板４の形状である。両側板４は差込ガイド穴３より前方部は天板１の円弧と略同寸で１２ｃｍ〜１３ｃｍの直径を有する半円盤形状で、差込ガイド穴３より後方部は上下方向の寸法Ｌ６が天板１の円弧の直径と略同寸であり、前後方向の寸法Ｌ７が６ｃｍ〜９ｃｍの四角形状である。ロール紙受部材７を差込ガイド穴３の最奥部に挿入した際に天板１の円弧の中心とロール紙８の中心が略同位置になるように差込ガイド穴３が設けられている。
【００１２】  ロール紙受部材７の形状が丸かったり、ロール紙受部材７の寸法が差込ガイド穴３の幅よりも小さかったりした場合には、ロール紙引出装置１０がロール紙受部材７の周りを回転してしまい、ロール紙引出装置１０が固定できず使いづらい。しかしながら、上述した他の実施例によれば、両側板４の後方部が、四角形状となっており、その後端部を紙巻器５を取り付けた壁などに密着させて取り付けることにより、ロール紙引出装置１０がロール紙受部材７周りを回転することなく安定に固定できる。
なお、最初の実施例のように両側板２が円盤形状の場合でも、この実施例と同様にロール紙引出装置１０がロール紙受部材７の周りを回転した場合に、紙巻器５を取り付けた壁などに接触してその回転を止める回転止め部材を両側板２の後方部に設けてもよい。
【符号の説明】
【００１３】  １    天板
２，４    側板
３    差込ガイド穴
５    紙巻器
６    紙切刃押え
７    ロール紙受部材
８    ロール紙
９    ロール紙芯棒
１０    ロール紙引出装置
１１    側ブラケット
【要約】
【課題】ロール紙の引き出し口を見つけ出すのに手間がかかり、ロール紙が破れたり、動いたりして手に触れる頻度が高くなり、清潔さも損なわれる。
【解決手段】上方に回動可能に設けられ前後方向に伸びた紙切刃押え６と、ロール紙８のロール紙芯棒９に差し込むことによりロール紙８を回転可能に保持するロール紙受部材７とを備え、ロール紙８からその先端を引き出して紙切刃押え６によって必要な長さに切り取って使用する紙巻器５に着脱可能に取り付けて使用するロール紙引出装置であって、前後方向の断面が略円弧状で上方に湾曲した天板１と、天板１の左右両端部に一体に設けられた両側板２を備え、両側板２にはロール紙受部材７を挿入して固定するための、下方に開口し開口端が外側に向けて広がった差込ガイド穴３が設けられている。
【選択図】図１【図１】
0006023377.tif 000002
【図２】
0006023377.tif 000003
【図３】
0006023377.tif 000004
【図４】
0006023377.tif 000005
【図５】
0006023377.tif 000006
【図６】
0006023377.tif 000007